(57)【要約】【課題】  液晶表示パネルを表示素子とする薄型表示装置において、表示画面の大型化に見合った大出力スピーカからの振動が該液晶表示パネルに伝導し、発生する揺らぎ状ノイズ画像発生の防止手段の提供。【解決手段】  スピーカボックス５を薄型表示装置１の本体から分離し、該薄型表示装置１をテーブルタイプ表示装置として使用するための複数の支柱２ｂを具備するテーブルスタンド２の該支柱に該スピーカボックス５を係止する。【選択図】  図１
2006340029.tif 000002
【特許請求の範囲】
【請求項１】
薄型表示パネルを表示素子とする薄型表示装置において、該薄型表示装置をテーブルタイプとして使用するための複数の支柱を具備するテーブルスタンドの該支柱にスピーカボックスを係止したことを特徴とする薄型表示装置。
【請求項２】
請求項１に記載の薄型表示装置において、複数の支柱のうち少なくとも２本の支柱にスピーカボックスを係止したことを特徴とする薄型表示装置。
【請求項３】
請求項１又は２に記載の薄型表示装置において、前記スピーカボックスの前記支柱に対向する部位は、該支柱の外形形状に相似した凹形状に形成されていることを特徴とする薄型表示装置。
【請求項４】
請求項１乃至３のいずれかに記載の薄型表示装置において、内部が中空のスタンド支柱に該スタンド支柱軸と直角の方向から該中空のスタンド支柱内部にフランジ付き螺子ガイドスリーブを挿嵌したことを特徴とする薄型表示装置。
【請求項５】
請求項１乃至４のいずれかに記載の薄型表示装置において、前記薄型表示パネルは液晶パネルであることを特徴とする液晶表示装置。
【発明の詳細な説明】
【技術分野】
【０００１】
本発明は、液晶などの薄型表示パネルを表示素子とするテーブルタイプの薄型表示装置のスピーカボックス取り付け手段に関し、詳しくは２本の支柱を具備する該薄型表示装置用テーブルスタンドの該支柱へのスピーカボックス係止手段に関するものである。
【背景技術】
【０００２】
液晶表示パネルを表示素子とする薄型表示装置は、従来のブラウン管を表示素子とする表示装置に比し、薄型、軽量などの優位性を有する半面、該液晶表示パネルの視野角度特性が狭いため、液晶表示面が観視者に正対するよう液晶表示装置には左右へのパンニング調整機構および上下へのチルティング調整機構を具備させる必要があったこと、および該薄型表示装置が有する前記の優位性および技術的先進性を意匠デザイン面からも暗示的に訴求する目的で、該薄型表示装置本体を一本の支柱のみによりテーブルスタンドベースから支持するシンプルなデザインを適用してきた。
【０００３】
しかしながら、近時、液晶表示画面の視野角度特性が著しく改善され、複雑な機構により構成される前記パンニング調整機構およびチルティング調整機構の必要性が乏しくなったこと、および該薄型表示装置の表示画面対角寸法が１メートルを越え、さらなる表示画面サイズの大型化が進展するに伴い、該テーブルスタンド支柱の実質的な強度向上と共に視覚的な安定感を与えるため、該テーブルスタンド支柱を複数本で構成する必要が生じてきた。
【０００４】
また、薄型表示装置の表示画面の大型化に見合って音声の大出力化が必要となるが、表示素子が液晶表示パネルの薄型表示装置本体の筐体内にスピーカを内蔵させた場合、該スピーカから発生する振動が、数ミクロン厚さの液晶層を挟持する２枚のガラス板で構成する該液晶表示パネルに伝導し、該液晶層の厚みが部分的に変動するため該液晶表示パネルの表示画面に揺らぎ状のノイズ画像を発生することがあった。
【０００５】
スピーカを具備する表示装置では、音声の臨場感を向上させるため、特許文献１に見られるように該表示画面を中心とし左右対称にスピーカを配設している。薄型表示装置では筐体の奥行き寸法が小さく、高品位の音響再生のために必要な充分の容積を有するスピーカ用エンクロージャーを該薄型表示装置の筐体内に配設することが困難であるため、スピーカボックスを薄型表示装置本体の筐体から分離し、該薄型表示装置の筐体外の左右側部に取り付けることが多い。また該薄型表示装置の背面に突出させずに該薄型表示装置本体下部にスピーカボックスを配設せる技術が特許文献２に開示されている。
【特許文献１】特開平１１−６９４７４号公報
【特許文献２】特開２００３−１７４６９２号公報
【発明の開示】
【発明が解決しようとする課題】
【０００６】
液晶表示パネルを表示素子とする薄型表示装置では、従来のブラウン管を表示素子とする表示装置に比し、薄型、軽量であることの優位性を意匠デザイン面からも訴求するため、該薄型表示装置をテーブルタイプとして使用時のテーブルスタンドは１本のみの支柱で構成されてきた。しかしながら表示画面の対角寸法が１メートルを越え、表示画面のさらなる大型化が進展するに連れ、視覚面からの安定感を向上させる必要が生じてきている。
【０００７】
また、薄型表示装置の表示画面の大型化に見合って音声の大出力化が図られるが、表示素子が液晶表示パネルの薄型表示装置本体の筐体内にスピーカを内蔵させた場合には、スピーカから発生する振動が、数ミクロン厚さの液晶層を挟持する２枚のガラス板で構成する該液晶表示パネルに伝導し、該液晶層の厚みが部分的に変動するため該液晶表示パネルの表示画面に揺らぎ状のノイズ画像を発生することがあり、このような不都合を防止する手段を提供する。
【課題を解決するための手段】
【０００８】
薄型表示パネルを表示素子とする薄型表示装置において、該薄型表示装置をテーブルタイプ表示装置として使用するための複数のスタンド支柱を具備するスタンドの該スタンド支柱にスピーカボックスを係止する。また、複数のスタンド支柱の内の少なくとも２本の支柱にスピーカボックスを係止する。また、スピーカボックスの該スタンド支柱に対向する部分は、該スタンド支柱の側面部分に回り込むような形状に形成されている。
【０００９】
テーブルスタンドを構成する中空構造のスタンド支柱内部に螺子頭部を埋設し、スピーカボックスを該スタンド支柱に螺着する場合、螺子が中空構造のスタンド支柱内に落下することを防止するため、該スタンド支柱軸と直角方向にフランジ付きの螺子ガイドを該中空構造のスタンド支柱内部に挿嵌係止する。
【発明の効果】
【００１０】
大型表示画面を表示素子とする薄型表示装置本体の筐体と同様の左右に長いスピーカボックスを、該薄型表示装置本体の筐体下部に配設された複数のテーブルスタンドのスタンド支柱の内、少なくとも２本のスタンド支柱に係止することにより、取り付け強度および取り付け安定性を向上させることが可能で、ユーザーがスピーカボックスの下部を補助的に把持し、該薄型表示装置を移動する場合にも安心感がある。
【００１１】
薄型表示装置の表示画面の大型化に見合ってスピーカからの音量を大出力化する必要があるが、該薄型表示装置の筐体に内蔵されている大音量を発生するスピーカの振動板による振動がスピーカボックスに伝導し、さらにはスピーカボックスが取り付けられている液晶表示装置の筐体を経由し、数ミクロン厚さの液晶層を挟持する２枚のガラス板で構成する液晶表示パネルに伝導することにより、表示画面に揺らぎ状のノイズ画像を発生するが、該スピーカボックスを薄型表示装置のスタンド支柱に係止することにより、スピーカ振動の伝導経路中での減衰が大きくなり、液晶表示パネルの表示画面上での該ノイズ画像の発生を防止することが出来る。
【００１２】
スピーカボックスの横幅寸法を、大型表示画面を有する薄型表示装置の筐体の横幅と同程度に長く形成することが可能で、従って、スピーカボックスに内蔵される左右チャンネルのスピーカ間距離を大きくすることが出来ることから、左右チャンネルの該スピーカから出力される左右チャンネル音声の分離度を高く維持することが可能となり、立体音再生時の臨場感を向上させることが可能となる。また、該スピーカボックスの背面の大部分は該スタンド支柱部分を避け、該スタンド支柱の側面部分に回り込むような形状に形成されており、薄型表示装置の本体から分離され該薄型表示装置の下部に配設されたスピーカボックスの奥行き寸法を大きくすることが可能となり、該薄型表示装置の薄型化や薄型イメージを損なうことなく、スピーカボックスの筐体内部の容積を大きくすることが可能となり、スピーカボックスに内蔵されたスピーカから出力される低周波数音域の音声再生能力を向上させることが出来る。
【００１３】
テーブルスタンドを構成する中空構造のスタンド支柱内部に螺子頭部を埋設し、該スタンド支柱にスピーカボックスを螺着する場合、フランジ付の螺子ガイドを該中空構造のスタンド支柱に挿嵌係止することにより、該螺子が中空構造の該スタンド支柱内部に落下することを防止することが出来る。
【発明を実施するための最良の形態】
【００１４】
本発明の実施の形態に関し、図１乃至３とともに説明する。
図１は本発明の実施形態を示す薄型表示装置背面の斜視図である。薄型表示装置１をテーブルタイプとして使用するために、該薄型表示装置１内部のシャーシに固定された2本のスタンド支柱２ｂがスタンドベース２ａに固定されている。５は立体音響再生のため前面の左右両端に２チャンネル音声を出力するためのスピーカを内蔵するスピーカボックスである。該スピーカボックス５は該薄型表示装置１の本体から分離され、スタンド支柱２ｂの支柱軸方向と直角方向に穿設した螺子挿通孔２ｄに埋設された螺子により、該スピーカボックス５の背面を2本の該スタンド支柱２ｂに螺着している。
【００１５】
図２は図1中に鎖線A−Aで示す切断線に沿って切断したスピーカボックス５およびスタンド支柱２ｂの横断面図である。図２の該横断面図に示すごとく該スピーカボックス５の背面の大部分は該スタンド支柱２ｂ部分を避け、該スタンド支柱２ｂの側面部分に回り込むような形状に形成されている。このような形状に形成することにより、薄型表示装置１の本体から分離され該薄型表示装置１の下部に配設されたスピーカボックス５の奥行き寸法を大きくすることが可能となり、該薄型表示装置１の薄型化や薄型イメージを損なうことなく、スピーカボックス５の筐体内部の容積を大きくすることが可能となり、スピーカボックス５に内蔵されたスピーカから出力される低周波数音域の音声再生能力を向上させることが出来る。
【００１６】
スピーカボックス５はスタンド支柱２ｂに螺子４により螺着されるが、螺子４の頭部が露出することにより、薄型表示装置としての技術的先進性のイメージを損なうことを避けるため、図２に示すごとく螺子４の頭部は中空のスタンド支柱２ｂ内に隠蔽する構造としている。該螺子４はスタンド支柱２ｂの後部に穿設された螺子ガイド挿入孔２ｃから挿入され、スタンド支柱２ｂ内部の該螺子挿入孔２ｃの対向面に穿設された螺子挿通孔２ｄを挿通し、スピーカボックス５の締結孔５ａに螺着される。
【００１７】
螺子４をスタンド支柱２ｂの螺子ガイド挿入孔２ｃから挿入し、該螺子ガイド挿入孔２ｃと対向するスタンド支柱２ｂ内部の螺子挿通孔２ｄに挿入時に、中空構造のスタンド支柱２ｂ内の中空部に該螺子４が落下することを防止するために、フランジ３ａ付きの螺子ガイド３をスタンド支柱２ｂの螺子ガイド挿入孔２ｃに、挿嵌係止している。
【００１８】
螺子ガイド３の後端部にはフランジ３ａが形成されており、該螺子ガイド３をスタンド支柱２ｂの螺子ガイド挿入孔２ｃに挿入時に、螺子ガイド３が該スタンド支柱２ｂ内の中空部に落下することはない。また、該螺子ガイド３の円筒状のスリーブ３ｂの壁面には壁面の外方に突出した発条性を有する複数の係止用突起３ｃが設けられている。螺子ガイド３の前端部をスタンド支柱２ｂ内の螺子挿通孔２ｄの面に当接させ、スリーブ３ｂの壁面の係止用突起３ｃが、螺子ガイド挿入孔２ｃに当接し螺子ガイド３の中心軸方向に変位する。さらに該螺子ガイド３を螺子ガイド挿入孔２ｃに押し込むことにより、螺子ガイド３のフランジ３ａがスタンド支柱２ｂの外面に当接し、同時に係止用突起３ｃの変位はスタンド支柱２ｂの内部の中空部に達し解放され、係止用突起３ｃの突端がスタンド支柱２ｂの内面に当接することにより、螺子ガイド３がスタンド支柱２ｂに係止され、再び抜け出すことはない。
【００１９】
図３は図1中に鎖線B−Bで示す切断線に沿って切断したスピーカボックス５およびスタンド支柱２ｂの縦断面図を示している。螺子ガイド３をスタンド支柱２ｂの後端面に穿設された螺子ガイド挿通孔２ｃから該スタンド支柱２ｂ内部に挿入後は、該螺子ガイド３に設けられた複数の係止用突起３ｃがスタンド支柱２ｂの内面に当接し係止され、螺子ガイド３がスタンド支柱２ｂの螺子ガイド挿入孔２ｃから抜け出すことはない。なお本発明の実施の形態としてスタンド支柱２ｂが２本の場合で説明したが、支柱の本数により限定されるものではなく、支柱が複数本の場合でも、少なくともその内の２本にスピーカボックス５が固定されることで、取り付け強度および取り付け安定性を向上させることが可能となる。
【産業上の利用可能性】
【００２０】
本発明の実施形態を説明する実施例として、液晶表示パネルを表示素子とする薄型表示装置により説明をしているが、PDP（プラズマディスプレイパネル）を表示素子とする薄型表示装置に適用しても同様に好適である。
【図面の簡単な説明】
【００２１】
【図１】本発明の実施形態を示す薄型表示装置の背面斜視図である。
【図２】図１中に鎖線Ａ−Ａで示す切断線に沿って切断したスピーカボックスおよびスタンド支柱の横断面図である。
【図３】図１中に鎖線Ｂ−Ｂで示す切断線に沿って切断したスピーカボックスおよびスタンド支柱の縦断面図である。
【符号の説明】
【００２２】
１：  薄型表示装置
２：  テーブルスタンド
２ａ：  スタンドベース
２ｂ：  スタンド支柱
２ｃ：  螺子ガイド挿入孔
２ｄ：  螺子挿通孔
３：  螺子ガイド
３ａ：  フランジ
３ｂ：  スリーブ
３ｃ：  係止用突起
４：  螺子
５：  スピーカボックス
５ａ：  締結孔
【図１】
2006340029.tif 000003
【図２】
2006340029.tif 000004
【図３】
2006340029.tif 000005